(57)【要約】無線通信のための移動局はリバースシグナリングチャネル上に送信するためにメッセージを発生するように構成された制御プロセッサーを含み、前記メッセージは複数のビットを有するステーションクラスマークフィールドを含み、前記ステーションクラスマークフィールドの一部は移動局が移動局機器識別子により固有に識別されることを示す。
2008527934.tif 000002
【特許請求の範囲】
【請求項１】
無線通信のための移動局において、
リバースシグナリングチャネル上に送信するためのメッセージを発生するように構成された制御プロセッサーを備え、前記メッセージは複数のビットを有するステーションクラスマークフィールドを含み、前記ステーションクラスマークフィールドの一部は、前記移動局が移動局機器識別子により固有に識別されることを示す、制御プロセッサーを備えた移動局。
【請求項２】
前記リバースシグナリングチャネルはリバースコモンシグナリングチャネルである、請求項１の移動局。
【請求項３】
フォワードシグナリングチャネル上でＭＥＩＤ拡張チャネル割り当てメッセージを受信するように構成された受信機をさらに備え、前記ＭＥＩＤ拡張チャネル割り当てメッセージは、
ＣＤＭＡ２０００リリース０に準拠する拡張チャネル割り当てメッセージフィールドと、
ＣＤＭＡ２０００リリースＡ、リリースＢ、およびリリースＣ規格の少なくとも１つに準拠する拡張チャネル割り当てメッセージフィールドをカバーするための固定数のリザーブされたビットと、
トラヒック呼のために前記移動局に割り当てられたパブリックロングコードマスクを識別するパブリックロングコードマスクタイプフィールドと、
を含む、受信機をさらに備えた請求項１の移動局。
【請求項４】
前記受信器は、フォワードシグナリングチャネル上でＭＥＩＤユニバーサルハンドオフディレクションメッセージを受信するようにさらに構成され、前記ＭＥＩＤユニバーサルハンドオフディレクションメッセージは、
ＣＤＭＡ２０００リリース０規格に準拠するユニバーサルハンドオフディレクションメッセージフィールドと、
ＣＤＭＡ２０００リリースＡ、リリースＢおよびリリースＣ規格の少なくとも１つに準拠するユニバーサルハンドオフディレクションメッセージフィールドをカバーするための固定数のリザーブされたビットと、
ハンドオフ動作のために前記移動局に割り当てられたパブリックロングコードマスクを識別するためのパブリックロングコードマスクタイプフィールドと、
を含む、請求項３の移動局。
【請求項５】
前記メッセージは、開始メッセージ、ページ応答メッセージ、登録メッセージ、ステータス応答メッセージ、および拡張ステータス応答メッセージを含むグループから選択される、請求項１の移動局。
【請求項６】
前記制御プロセッサーは、フォワードシグナリングチャネル上で受信したステータスリクエストメッセージに応答してリバースシグナリングチャネル上に送信するためのステータス応答メッセージを発生するようにさらに構成され、前記ステータス応答メッセージは移動局機器識別子を含む、請求項１の移動局。
【請求項７】
前記ステータス応答メッセージは拡張ステータス応答メッセージであり、前記拡張ステータス応答メッセージの送信のために使用される前記リバースシグナリングチャネルはリバースコモンシグナリングチャネルである、請求項６の移動局。
【請求項８】
前記ステータス応答メッセージの送信のために使用される前記リバースシグナリングチャネルはリバース専用シグナリングチャネルである、請求項６の移動局。
【請求項９】
無線移動局を動作する方法において、
リバースシグナリングチャネル上に送信するためのメッセージを発生することであって、前記メッセージは、複数のビットを有するステーションクラスマークフィールドを含み、前記ステーションクラスマークフィールドの一部は移動局が、移動局機器識別子により固有に識別されることを示す、方法。
【請求項１０】
フォワードシグナリングチャネル上のステータスリクエストメッセージを受信することと、
前記ステータスリクエストメッセージに応答してステータス応答メッセージをリバースシグナリングチャネル上に送信することであって、前記ステータス応答メッセージは前記移動局機器識別子を含む、請求項９の方法。
【請求項１１】
前記ステータス応答メッセージは拡張ステータス応答メッセージであり、前記拡張ステータス応答メッセージを送信するために使用される前記リバースシグナリングチャネルはリバースコモンシグナリングチャネルである、請求項１０の方法。
【請求項１２】
前記ステータス応答メッセージを送信するために使用される前記リバースシグナリングチャネルはリバース専用シグナリングチャネルである、請求項１０の方法。
【請求項１３】
フォワードシグナリングチャネル上でＭＥＩＤ拡張チャネル割り当てメッセージを受信することをさらに備え、前記ＭＥＩＤ拡張チャネル割り当てメッセージは、
ＣＤＭＡ２０００リリース０規格に準拠する拡張チャネル割り当てメッセージフィールドと、
ＣＤＭＡ２０００リリースＡ、リリースＢおよびリリースＣ規格の少なくとも１つに準拠する拡張チャネル割り当てメッセージをカバーするための固定数のリザーブされたビットと、
トラヒック呼のために前記移動局に割り当てられたパブリックロングコードマスクを識別するためのパブリックロングコードマスクタイプフィールドと、
を含む、請求項９の方法。
【請求項１４】
フォワードシグナリングチャネル上でＭＥＩＤユニバーサルハンドオフディレクションメッセージを受信することをさらに備え、前記ＭＥＩＤユニバーサルハンドオフディレクションメッセージは、
ＣＤＭＡ２０００リリース０規格に準拠するユニバーサルハンドオフディレクションメッセージフィールドと、
ＣＤＭＡ２０００リリースＡ、リリースＢ、およびリリースＣ規格の少なくとも１つに準拠するユニバーサルハンドオフディレクションメッセージフィールドをカバーするための固定数のリザーブされたビットと、
ハンドオフ動作のために前記移動局に割り当てられたパブリックロングコードマスクを識別するためのパブリックロングコードマスクタイプフィールドと、
を含む、請求項１３の方法。
【請求項１５】
機械により実行されると、前記機械に無線移動局の動作を実行させる命令を備えた機械読み取り可能媒体において、
リバースシグナリングチャネル上に送信するためにメッセージを発生することであって、前記メッセージは複数のビットを有するステーションクラスマークフィールドを含み、前記ステーションクラスマークフィールドの一部は移動局が移動局機器識別子により固有に識別されることを示す、機械読み取り可能媒体。
【請求項１６】
無線通信のための移動局において、
リバースシグナリングチャネル上に送信するためのメッセージを発生する手段を備え、前記メッセージは複数のビットを有するステーションクラスマークフィールドを含み、前記ステーションクラスマークフィールドの一部は移動局が移動局識別子により固有に識別されることを示す、発生手段と、
前記メッセージを前記リバースシグナリングチャネル上に送信する手段と、
を備えた移動局。
【請求項１７】
前記リバースシグナリングチャネルはリバースコモンシグナリングチャネルである、請求項１６の移動局。
【請求項１８】
フォワードシグナリングチャネル上でＭＥＩＤ拡張チャネル割り当てメッセージを受信する手段をさらに備えた、前記ＭＥＩＤ拡張チャネル割り当てメッセージは、
ＣＤＭＡ２０００リリース０規格に準拠する拡張チャネル割り当てメッセージフィールドと、
ＣＤＭＡ２０００リリースＡ、リリースＢ、およびリリースＣ規格の少なくとも１つに準拠する拡張チャネル割り当てメッセージフィールドをカバーするための固定数のリザーブされたビットと、
トラヒック呼のために、前記移動局に割り当てられたパブリックロングコードマスクを識別するパブリックロングコードマスクタイプフィールドと、
を含む、請求項１６の移動局。
【請求項１９】
フォワードシグナリングチャネル上でＭＥＩＤユニバーサルハンドオフディレクションメッセージを受信する手段をさらに備え、前記ＭＥＩＤユニバーサルハンドオフディレクションメッセージは、
ＣＤＭＡ２０００リリース０規格に準拠するユニバーサルハンドオフディレクションメッセージフィールドと、
ＣＤＭＡ２０００リリースＡ、リリースＢおよびリリースＣ規格の少なくとも１つに準拠するユニバーサルハンドオフディレクションメッセージフィールドをカバーするための固定数のリザーブされたビットと、
ハンドオフ動作のために前記移動局に割り当てられたパブリックロングコードマスクを識別するためのパブリックロングコードマスクフィールドと、
を含む、請求項１８の移動局。
【請求項２０】
前記メッセージは開始メッセージ、ページ応答メッセージ、登録メッセージ、ステータス応答メッセージ、および拡張ステータス応答メッセージを含むグループから選択される、請求項１６の移動局。
【請求項２１】
フォワードシグナリングチャネル上で受信されたステータスリクエストメッセージに応答してリバースシグナリングチャネル上に送信するためにステータス応答メッセージを発生する手段をさらに備え、前記ステータス応答メッセージは前記移動局機器識別子を含む、請求項１６の移動局。
【請求項２２】
前記ステータス応答メッセージは拡張ステータス応答メッセージであり、前記拡張ステータス応答メッセージの送信のために使用される前記リバースシグナリングチャネルはリバースコモンシグナリングチャネルである、請求項２１記載の移動局。
【請求項２３】
前記ステータス応答メッセージの送信のために使用される前記リバースシグナリングチャネルは、リバース専用シグナリングチャネルである、請求項２１の移動局。
【請求項２４】
無線通信のための基地局において、
移動局からリバースシグナリングチャネル上のメッセージを受信するように構成された受信機を備え、前記メッセージは複数のビットを有するステーションクラスマークフィールドを含み、前記ステーションクラスマークフィールドの一部は前記移動局が移動局機器識別子により固有に識別されることを示す、基地局。
【請求項２５】
前記リバースシグナリングチャネルはリバースコモンシグナリングチャネルである、請求項２４の基地局。
【請求項２６】
フォワードシグナリングチャネル上に、ＭＥＩＤ拡張チャネル割り当てメッセージを送信するように構成された送信機をさらに備え、前記ＭＥＩＤ拡張チャネル割り当てメッセージは、
ＣＤＭＡ２０００リリース０規格に準拠する拡張チャネル割り当てメッセージフィールドと、
ＣＤＭＡ２０００リリースＡ、リリースＢおよびリリースＣ規格の少なくとも１つに準拠する拡張チャネル割り当てメッセージフィールドをカバーするための固定数のリザーブされたビットと、
トラヒック呼のために前記移動局に割り当てられたパブリックロングコードマスクを識別するためのパブリックロングコードマスクタイプフィールドと、
を含む、請求項２４の基地局。
【請求項２７】
前記送信機は、フォワードシグナリングチャネル上にＭＥＩＤユニバーサルハンドオフディレクションメッセージを送信するようにさらに構成され、前記ＭＥＩＤユニバーサルハンドオフディレクションメッセージは、
ＣＤＭＡ２０００リリース０規格に準拠するユニバーサルハンドオフディレクションメッセージと、
ＣＤＭＡ２０００リリースＡ、リリースＢ、およびリリースＣ規格の少なくとも１つに準拠するユニバーサルハンドオフディレクションメッセージフィールドをカバーするための固定数のリザーブされたビットと、
ハンドオフ動作のために前記移動局に割り当てられたパブリックロングコードマスクを識別するためのパブリックロングコードマスクタイプと、
を含む、請求項２６の基地局。
【請求項２８】
前記メッセージは開始メッセージ、ページ応答メッセージ、登録メッセージ、ステータス応答メッセージ、および拡張ステータス応答メッセージを含むグループから選択される、請求項２４の基地局。
【請求項２９】
フォワードシグナリングチャネル上の前記移動局にステータスリクエストメッセージを送信するように構成された送信機をさらに備え、前記ステータスリクエストメッセージは前記移動局機器識別子のための前記移動局へのリクエストを含む、請求項２４の基地局。
【請求項３０】
前記ステータスリクエストメッセージの送信のために使用される前記フォワードシグナリングチャネルはフォワードコモンシグナリングチャネルである、請求項２９の基地局。
【請求項３１】
前記ステータスリクエストメッセージの送信のために使用される前記フォワードシグナリングチャネルはフォワードコモンシグナリングチャネルである、請求項２９の基地局。
【請求項３２】
基地局を動作させる方法において、
無線移動局からリバースシグナリングチャネル上のメッセージを受信することを備え、前記メッセージは複数のビットを有するステーションクラスマークフィールドを含み、前記ステーションクラスマークフィールドの一部は、移動局が移動局機器識別子により固有に識別されることを示す、方法。
【請求項３３】
フォワードシグナリングチャネル上の移動局にステータスリクエストメッセージを送信することをさらに備え、前記ステータスリクエストメッセージは、前記移動局機器識別子のための前記移動局へのリクエストを含む、請求項３２の方法。
【請求項３４】
前記ステータスリクエストメッセージの送信のために使用される前記フォワードシグナリングチャネルは、フォワードコモンシグナリングチャネルである、請求項３３の方法。
【請求項３５】
前記ステータスリクエストメッセージの送信のために使用される前記フォワードシグナリングチャネルはフォワード専用シグナリングチャネルである、請求項３３の方法。
【請求項３６】
フォワードシグナリングチャネル上にＭＥＩＤ拡張チャネル割り当てメッセージを送信することをさらに備え、前記ＭＥＩＤ拡張チャネル割り当てメッセージは、
ＣＤＭＡ２０００リリース０規格に準拠する拡張チャネル割り当てメッセージフィールドと、
ＣＤＭＡ２０００リリースＡ、リリースＢおよびリリースＣ規格の少なくとも１つの準拠する拡張チャネル割り当てメッセージフィールドをカバーするための固定数のリザーブされたビットと、
トラヒック呼のために前記移動局に割り当てられたパブリックロングコードマスクを識別するためのパブリックロングコードマスクタイプフィールドと、
を含む、請求項３２の方法。
【請求項３７】
フォワードシグナリングチャネル上にＭＥＩＤユニバーサルハンドオフディレクションメッセージを送信することをさらに備え、前記ＭＥＩＤユニバーサルハンドオフディレクションメッセージは、
ＣＤＭＡ２０００リリース０規格に準拠するユニバーサルハンドオフディレクションメッセージフィールドと、
ＣＤＭＡ２０００リリースＡ、リリースＢ、およびリリースＣ規格の少なくとも１つに準拠するユニバーサルハンドオフディレクションメッセージフィールドをカバーするための固定数のリザーブされたビットと、
ハンドオフ動作のために前記移動局に割り当てられたパブリックロングコードマスクを識別するためのパブリックロングコードマスクタイプフィールドと、
を含む、請求項３６の方法。
【請求項３８】
機械により実行されると、機械に基地局内の動作を実行させる命令を備えた機械読み取り可能媒体において、
移動局からリバースシグナリングチャネル上のメッセージを受信することであって、前記メッセージは複数のビットを有するステーションクラスマークフィールドを含み、前記ステーションクラスマークフィールドの一部は、前記移動局が移動局機器識別子により固有に識別されることを示す、機械読み取り可能媒体。
【請求項３９】
無線通信のための基地局において、
移動局からリバースシグナリングチャネル上のメッセージを受信する手段を備え、前記メッセージは複数のビットを有するステーションクラスマークフィールドを含み、前記ステーションクラスマークフィールドの一部は移動局が移動局機器識別子により固有に識別されることを示す、手段と、
フォワードシグナリングチャネル上の移動局にステータスリクエストメッセージを送信する手段であって、前記ステータスリクエストメッセージは、移動局機器識別子のための前記移動局へのリクエストを含む、手段と、
を備えた基地局。
【請求項４０】
前記リバースシグナリングチャネルはリバースコモンシグナリングチャネルである、請求項３９の基地局。
【請求項４１】
フォワードシグナリングチャネル上にＭＥＩＤ拡張チャネル割り当てメッセージを送信する手段をさらに備え、前記ＭＥＩＤ拡張チャネル割り当てメッセージは、
ＣＤＭＡ２０００リリース０規格に準拠する拡張チャネル割り当てメッセージフィールドと、
ＣＤＭＡ２０００リリースＡ、リリースＢ、およびリリースＣ規格の少なくとも１つに準拠する拡張チャネル割り当てメッセージフィールドをカバーするための固定数のリザーブされたビットと、
トラヒック呼のために前記移動局に割り当てられたパブリックロングコードマスクを識別するためのパブリックロングコードマスクタイプと、
を含む、請求項３９の基地局。
【請求項４２】
フォワードシグナリングチャネル上にＭＥＩＤユニバーサルハンドオフディレクションメッセージを送信する手段をさらに備え、前記ＭＥＩＤユニバーサルハンドオフディレクションメッセージは、
ＣＤＭＡ２０００リリース０規格に準拠するユニバーサルハンドオフディレクションメッセージフィールドと、
ＣＤＭＡ２０００リリースＡ、リリースＢ、およびリリースＣ規格の少なくとも１つに準拠するユニバーサルハンドオフディレクションメッセージフィールドをカバーするための固定数のリザーブされたビットと、
ハンドオフ動作のために前記移動局に割り当てられたパブリックロングコードマスクを識別するためのパブリックロングコードマスクタイプフィールドと、
を含む、請求項４１の基地局。
【請求項４３】
前記メッセージは、開始メッセージ、ページ応答メッセージ、登録メッセージ、ステータス応答メッセージ、および拡張ステータス応答メッセージを含むグループから選択される、請求項３９の基地局。
【請求項４４】
前記ステータスリクエストメッセージの送信のために使用される前記フォワードシグナリングチャネルはフォワードコモンシグナリングチャネルである、請求項４３の基地局。
【請求項４５】
前記ステータスリクエストメッセージの送信のために使用される前記フォワードシグナリングチャネルはフォワード専用シグナリングチャネルである、請求項４３の基地局。
【発明の詳細な説明】
【関連出願の記載】
【０００１】
３５Ｕ．Ｓ．Ｃ．§１１９に基く優先権主張
この特許出願は、この特許出願の譲受人に譲渡され参照することにより本明細書に組み込まれる２００５年１月１４日に出願された「ＭＥＩＤ配置オプション」(MEID Deployment Options)というタイトルの米国仮出願第６０／６４３、９７６の優先権を主張する。
【０００２】
同時係属出願のリファレンス
この特許出願は、以下の同時係属米国特許出願に関連する。この特許出願の譲受人に譲渡され参照することによりここに組み込まれる２００５年１１月３０日に出願された出願番号１１／２９１，６７８のレスリー・チャンによる「メッセージフォーマットを示す第１のプロトコル改訂フィールドと標準改訂において強制的特徴を示す第２のプロトコル改訂フィールドを有するメッセージ」(Message Having a First Protocol Revision Field Indicating a Message Format and a Second Protocol Revision Field Indicating Mandatory Features In a Standards Revision)。
【技術分野】
【０００３】
この発明は一般に無線通信に関し、特にセルラー無線通信に関する。
【背景技術】
【０００４】
通信の分野は、例えば、ページング、無線ローカルループ、インターネット電話、および衛星通信システムを含む多くのアプリケーションを有する。例示アプリケーションは移動加入者のためのセルラー電話システムである。（本明細書において使用されるように、「セルラー」システムという用語は、セルラー通信サービスシステム周波数とパーソナル通信サービス（ＰＣＳ）システム周波数の両方を含む）。複数のユーザーが共通の通信媒体をアクセス可能にするように設計された無線通信システムのような近代の通信システムはそのようなセルラーシステムのために開発されてきた。これらの最新の通信システムは、符号分割多重アクセス（ＣＤＭＡ）、時分割多重アクセス（ＴＤＭＡ）、周波数分割多重アクセス（ＦＤＭＡ）、空間分割多重アクセス（ＳＤＭＡ）、分極分割多重アクセス（ＰＤＭＡ）、または技術的に知られている他の変調技術のような多重アクセス技術に基いていてもよい。これらの変調技術は通信システムの複数のユーザーから受信した信号を復調し、それにより通信システムのキャパシティの増大を可能にする。それに関連して、例えば進歩した移動電話サービス（ＡＭＰＳ）、移動通信のためのグローバルシステム（ＧＳＭ）および他の無線システムを含む種々の無線通信システムが確立された。
【０００５】
ＦＤＭＡシステムにおいて、合計周波数スペクトルは多数のより小さなサブバンドに分割され、各ユーザーには通信媒体をアクセスするための固有のサブバンドが与えられる。あるいは、ＴＤＭＡシステムにおいて、合計周波数スペクトルは多数のより小さなサブバンドに分割され、各サブバンドは多数のユーザー間で共有され、各ユーザーはそのサブバンドを用いて所定のタイムスロットにおいて送信することが可能である。ＣＤＭＡシステムは他のタイプのシステムに対して、増大したシステムキャパシティを含む潜在的な利点を供給する。ＣＤＭＡシステムでは、各ユーザーは常に全周波数スペクトルが与えられているが、固有のコードの使用を介して送信を区別する。
【０００６】
ＣＤＭＡシステムは、１つ以上のＣＤＭＡ規格を支持するように設計されてもよい。例えば、（１）「デュアルモード広帯域スペクトル拡散セルラーシステムのためのＴＩＡ／ＥＩＡ−９５−Ｂ移動局−基地局互換規格」（ＩＳ−９５規格）、（２）「第三世代パートナーシッププロジェクト」（３ＧＰＰ）という名前の共同体により提供され、文献番号３Ｇ  ＴＳ  ２５．２１１、３Ｇ  ＴＳ  ２５．２１２、３Ｇ  ＴＳ  ２５．２１３、３Ｇ  ＴＳ  ２５．２１４を含む文献のセットに具現化された規格（Ｗ−ＣＤＭＡ規格）、および（３）「第三世代パートナーシッププロジェクト２」（３ＧＰＰ２）という名前の共同体により提供され、「ｃｄｍａ２０００スペクトル拡散システムのためのＴＲ−４５．５物理層規格」（ＩＳ−２０００規格）
上で名前を挙げたＣＤＭＡ通信システムおよび規格において、利用可能なスペクトルは多数のユーザー間で同時に共有され、音声サービスおよびデータサービスのようなサービスを提供するために適切な技術が利用可能である。
【０００７】
種々の移動局製造業者により製造された各移動局を一意的に識別するために３２ビットのバイナリ番号である電子シリアル番号（ＥＳＮｓ）が現在使用されている。携帯電話のような移動局の使用が急増していることを考慮して、ＥＳＮｓはいずれは使い果たすかもしれず、それゆえ新しい固有の移動局識別子が開発され、標準化された。これは、５６ビットの数である移動局機器識別子（ＭＥＩＤ）として知られる。ＭＥＩＤは標準のＩＳ−２０００ファミリーの改訂Ｄにおける強制的な特徴の１つである。標準のＩＳ−２０００ファミリーは上で特定された元々採用されたＩＳ−２０００規格に対する改訂またはリリースを含む。そのような改訂は改訂０、Ａ、Ｂ、Ｃ、およびＤを含む。今日、展開される有力なＩＳ−２０００企画はＩＳ−２０００改訂０であり、無線セルラーオペレーターが改訂Ｄのような次の改訂を展開するために、時間がかかり高価な相互運用試験を行って移動局が改訂０、Ａ、ＢおよびＣと下位互換性がありネットワークが適切な機能向上を必要とすることを保証しなければならない。しかしながら、ＥＳＮｓはそのような試験の前にかつネットワークの機能向上が完了する前に展開されてもよい。
【発明の開示】
【０００８】
１つの観点において、無線通信のための移動局が開示される。移動局はリバースシグナリングチャネル上の送信するためにメッセージを発生するように構成される。メッセージは複数のビットを有するステーションクラスマーク(Station Class Mark)フィールドを含む。ステーションクラスマークフィールドの一部は、移動局が移動局機器識別子により固有に識別されることを示す。
【０００９】
他の観点において、無線移動局を動作させる方法が開示される。この方法はリバースシグナリングチャネル上の送信するためにメッセージを発生することを含む。メッセージは複数のビットを有するステーションクラスマークフィールドを含む。ステーションクラスマークフィールドの一部は、移動局が移動局機器識別子により固有に識別されることを示す。
【００１０】
さらに他の観点において、実行されると機械に無線移動局における動作を実行させる命令を備えた機械読み取り可能媒体が開示される。動作はリバースシグナリングチャネル上に送信するためにメッセージを発生することを含む。メッセージは複数のビットを有するステーションクラスマークフィールドを含む。ステーションクラスマークフィールドの一部は移動局機器識別子により固有に識別される。
【００１１】
さらに他の観点において、無線通信のための移動局が開示される。移動局はリバースシグナリングチャネル上に送信するためのメッセージを発生する手段を含む。メッセージは、複数のビットを有するステーションクラスマークフィールドを含む。ステーションクラスマークフィールドの一部は、移動局が移動局機器識別子により固有に識別されることを示す。移動局はさらにメッセージをリバースシグナリングチャネル上に送信する手段を含む。
【００１２】
さらに他の観点において、無線通信のための基地局が開示される。基地局は移動局からのリバースシグナリングチャネル上のメッセージを受信するように構成された受信機を含む。メッセージは複数のビットを有するステーションクラスマークフィールドを含む。ステーションクラスマークフィールドの一部は、移動局が移動局機器識別子により固有に識別されることを示す。
【００１３】
さらに他の観点において、基地局を動作させる方法が開示される。この方法は無線移動局からリバースシグナリングチャネル上でメッセージを受信することを含む。メッセージは複数のビットを有するステーションクラスマークフィールドを含む。ステーションクラスマークフィールドの一部は、移動局が移動局機器識別子により固有に識別されることを示す。
【００１４】
さらに他の観点において、機械により実行されると、機械に基地局内の動作を実行させる命令を備えた機械読み取り可能媒体が開示される。動作は、移動局からリバースシグナリングチャネル上のメッセージを受信することを含む。メッセージは複数のビットを有するステーションクラスマークフィールドを含む。ステーションクラスマークフィールドの一部は、移動局が移動局機器識別子により固有に識別されることを示す。
【００１５】
さらに他の観点において、無線通信のための基地局が開示される。基地局は、移動局からリバースシグナリングチャネル上のメッセージを受信する手段を含む。メッセージは複数のビットを有するステーションクラスマークフィールドを有する。ステーションクラスマークフィールドの一部は、移動局が移動局機器識別子により固有に識別されることを示す。さらに基地局は、フォワードシグナリングチャネルを介してステータスリクエストメッセージを移動局に送信する手段を含む。ステータスリクエストメッセージは移動局機器識別子のための移動局へのリクエストを含む。
【発明を実施するための最良の形態】
【００１６】
「例示」という用語はここでは、「例、インスタンス、または例証として機能する」ことを意味するために使用される。「例示」としてここに記載される任意の実施形態は他の実施形態に対して必ずしも好適であるとか利点があるとして解釈されない。
【００１７】
移動局（ＭＳ）、アクセス端末（ＡＴ）、ユーザー機器（ＵＥ）または加入者ユニットとしても知られる遠隔局はモバイルであってもよくまたは静止していてもよく、基地トランシーバー局（ＢＴＳｓ）またはノードＢｓとしても知られる１つ以上の基地局と通信してもよい。遠隔局は無線ネットワークコントローラー（ＲＮＣｓ）としても知られる基地局コントローラーに対して１つ以上の基地局を介してデータパケットを送受信する。基地局と基地局コントローラーはアクセスネットワークと呼ばれるネットワークの一部である。アクセスネットワークは複数の遠隔局の間でデータパケットをトランスポートする。アクセスネットワークは企業内イントラネットまたはインターネットのようなアクセスネットワーク以外のさらなるネットワークにさらに接続されてもよく、各遠隔局とそのような外部のネットワークとの間でデータパケットをトランスポートしてもよい。１つ以上の基地局とアクティブトラヒックチャネル接続を確立した遠隔局はアクティブ遠隔局と呼ばれトラヒック状態にあると言われる。１つ以上の基地局とアクティブトラヒックチャネル接続を確立するプロセスにある遠隔局は接続セットアップ状態にあると言われる。遠隔局は無線チャネルを介して通信する任意のデータ装置であってもよい。さらに遠隔局は、これらに限定されないが、ＰＣカード、コンパクトフラッシュ（登録商標）、外部または内部モデムまたは無線電話を含む任意の多数のタイプの装置であってもよい。遠隔局が信号を基地局に送信する通信リンクはアップリンクと呼ばれ、リバースリンクとしても知られる。基地局が信号を遠隔局に送信する通信リンクはダウンリンクと呼ばれ、フォワードリンクとしても知られる。
【００１８】
図１を参照すると、例示無線通信システム１００は１つ以上の無線移動局（ＭＳ）１０２、１つ以上の基地局（ＢＳ）１０４、１つ以上の基地局コントローラー（ＢＳＣ）１０６およびコアネットワーク１０８を含む。コアネットワークは適切な帰路を介してインターネット１１０および公衆交換電話網（ＰＳＴＮ）１１２に接続されていてもよい。無線通信システム１００は、符号分割多重アクセス（ＣＤＭＡ）、時分割多重アクセス（ＴＤＭＡ）、周波数分割多重アクセス（ＦＤＭＡ）、空間分割多重アクセス（ＳＤＭＡ）、分極分割多重アクセス（ＰＤＭＡ）または技術的に知られている他の変調技術のような多数の多重アクセス技術の任意の１つを採用してもよい。
【００１９】
図２、５Ａ−５Ｂを参照すると、一実施形態において、無線通信のための移動局１０２はリバースシグナリングチャネルに送信するためのメッセージを発生するように構成されたコントロールプロセッサー２０２を含む。メッセージは、複数のビットを有するステーションクラスマークフィールドを含む。ステーションクラスマークフィールドの一部は、移動局が移動局機器識別子により固有に識別されることを示す。移動局１０２は送信機２００、変調器２０６、受信機２０４、復調器２０８、およびアンテナ２１０を含む。これらの機能は技術的に知られている。
【００２０】
一実施形態において、メッセージは図５Ａに示されるように開始メッセージ５００である。開始メッセージ５００は８ビットのような複数のビットを有するステーションクラスマーク（ＳＣＭ）フィールド５０８を含む。一実施形態において、ＳＣＭフィールド５０８の一部は移動局が移動局機器識別子（ＭＥＩＤ）により固有に識別されることを示すために使用され、図５Ｂに示される実施形態において、４番目のビット５２２はビット１にセットされ移動局がＭＥＩＤにより固有に識別されることを示す。代わりの実施形態において、メッセージはページ応答メッセージ、登録メッセージ、ステータス応答メッセージ、または拡張ステータス応答メッセージであってもよい。図５Ａを続けると、開始メッセージ５００はモバイルターミネーテッドコールアクセプテッドインジケーター(Mobile Terminated Calls Accepted Indicator)（ＭＯＢ＿ＴＥＲＭ）フィールド５０２、スロットサイクルインデックス（ＳＬＯＴ＿ＣＹＣＬＥ＿ＩＮＤＥＸ）フィールド５０４、モバイルプロトコルリビジョン（ＭＯＢ＿Ｐ＿ＲＥＶ）フィールド５０６，・・・リザーブドビット（ＲＥＳＥＲＶＥＤ）フィールド５１６、およびリバースファンダメンタルゲーティングモードリクエストインジケーター（ＲＥＶ  ＦＣＨ  ＧＡＴＩＮＧ  ＲＥＱ）フィールド５２０のような種々のさらなるフィールドを含む。これらの記述は技術的に知られている。
【００２１】
図４、５Ａ、および６Ａ−６Ｂを参照すると、この発明の一実施形態に従う移動局１０２のような無線移動局と基地局１０４のような基地局との間の呼セットアップ図が示される。ステップ４０２において、移動局１０２は開始メッセージ５００あるいはページ応答メッセージをリバースコモンシグナリングチャネル（ｒ-ｃｓｃｈ）を介して基地局１０４に送信する。開始メッセージ５００はＩＭＳＩ＋ｐＥＳＮ（国際モバイル加入者アイデンティティおよび擬似電子シリアル番号）およびＳＣＭ５０８のビット４が１にセットされたＳＣＭ５０８を含む。４０４内のステップにより示されるように、基地局１０４は任意でＭＥＩＤリクエストを含む（後述する）ステータスリクエストメッセージをフォワードコモンシグナリングチャネル（ｆ-ｃｓｃｈ）を介して移動局１０２に送信し、移動局１０２は（後述する）拡張ステータス応答メッセージをｒ−ｃｓｃｈを介して基地局１０４に送信する。拡張ステータス応答メッセージは移動局１０２のＭＥＩＤを含む。代わりの実施形態において、ＭＥＩＤを含むステータスリクエストメッセージはフォワード専用シグナリングチャネル（ｆ-ｄｓｃｈ）上に送信されてもよいし、ＭＥＩＤを有するステータスリクエストメッセージは、リバース専用シグナリングチャネル（ｒ-ｄｓｃｈ）上に送信されてもよい。
【００２２】
図４を続けると、ステップ４０６において、基地局１０４はｆ−ｃｓｃｈを介してＭＥＣＡＭ（ＭＥＩＤ拡張チャネル割り当てメッセージ）を送信する。ＭＥＣＡＭは（後述する）ＰＬＣＭ＿ＴＹＰＥ＿ＩＮＣＬ、ＰＬＣＭＪＴＹＰＥ、およびＰＬＣＭ＿３９のような種々のフィールドを含む。トラヒックチャネル初期化ステップは４０８内に描かれる。４０８は、移動局１０２がフォワードリンクを獲得することを可能にする適切な信号をフォワード専用トラヒックチャネル（ｆ-ｄｔｃｈ）に送信する基地局１０４と、移動局がフォワードリンクを獲得した後でリバース専用トラヒックチャネル（ｒ-ｄｔｃｈ）を介してプリアンブルを基地局１０４に送信する移動局１０２と、リバースリンクを獲得した後にｆ−ｄｓｃｈを介してＢＳアクノレジメント（ＡＣＫ）命令を移動局１０２に送信する基地局１０４と、リバース専用シグナリングチャネル（ｒ-ｄｓｃｈ）を介してＭＳ  ＡＣＫ命令を基地局１０４に送信する移動局１０２とを含む。次に、４１０内のステップにより示されるようにサービス接続メッセージが送信される。４１０はｆ−ｄｓｃｈを介してサービス接続メッセージを移動局１０２に送信する基地局１０４を含む。次に移動局１０２はｒ−ｄｓｃｈを介してサービス接続完了メッセージを基地局１０４に送信する。ステップ４１２において、トラヒックチャネル（ｆ−ｄｔｃｈ、ｒ-ｄｔｃｈ）はフォワードリンク方向およびリバースリンク方向の両方において確立される。一実施形態において、ステップ４１４において、基地局１０４は、他の基地局とのハンドオフ動作を容易にするためにｆ−ｄｓｃｈを介してＭＵＨＤＭ（ＭＥＩＤユニバーサルハンドオフ方向メッセージ）メッセージを移動局１０２に送信してもよい。
【００２３】
図６Ａおよび６Ｂを続けると、この発明の一実施形態に従ってステータスリクエストメッセージ６００およびステータス応答メッセージまたは拡張ステータス応答メッセージ６４０が示される。ステータスリクエストメッセージ６００は種々のフィールドを含む。例えば、資格情報タイプを示すためのＱＵＡＬ＿ＩＮＦＯ＿ＴＹＰＥフィールド６０２、資格情報長さを示すためのＱＵＡＬ＿ＩＮＦＯ＿ＬＥＮフィールド６０４、および８ビットフィールドの適切な値に応じて移動局にＭＥＩＤ要求を示すためのＲＥＣＯＲＤ＿ＴＹＰＥフィールド６１０を含む。ステータス応答メッセージまたは拡張ステータス応答メッセージ６４０は種々のレイヤ３フィールドを含む。例えば、ＱＵＡＬ＿ＩＮＦＯ＿ＴＹＰＥフィールド６４２、資格情報長さを示すためのＱＵＡＬ＿ＩＮＦＯ＿ＬＥＮフィールド６４４、ＴＹＰＥ−Ｓｐｅｃｉｆｉｃ  Ｆｉｅｌｄｓフィールド６４６、ＲＥＣＯＲＤ−ＴＹＰＥフィールド６４８、ＲＥＣＯＲＤＪＬＥＮフィールド６４９、およびステータス応答メッセージ６４０を送信する移動局のＭＥＩＤ値を有するＴＹＰＥ−ＳＰＥＣＩＦＩＣ  ＦＩＥＬＤＳフィールド６５０を含む。フィールド６４８、６４９および６５０は必要に応じて複製されてもよい。一実施形態において、ＲＥＣＯＲＤ−ＴＹＰＥフィールド６４８は３９の１０進値を有し、ＲＥＣＯＲＤＪＬＥＮフィールド６４９は８の十進値を有し、フィールド６５０は図６Ｃに示されるＭＥＩＤ情報を含む。図６Ｃは、ＭＥＩＤＪＪＥＮフィールド６８２、ＭＥＩＤフィールド（５６ビット）６８４、およびすべてゼロの４ビットを有するＲＥＳＥＲＶＥＤフィールド６８６を有するＭＥＩＤ情報レコード６８０を示す。一実施形態において、ステータス応答メッセージはリバース専用シグナリングチャネル上で使用される。他の実施形態において、図６Ｂに示されるのと同じレイヤ３フォーマットを有する拡張ステータス応答メッセージがリバースコモンシグナリングチャネル上で使用される。
【００２４】
図７を参照すると、この発明の一実施形態に従って移動局１０２により実施されてもよいプロセス７００のフロー図が示される。プロセス７００は７０２を含む。７０２において、リバースシグナリングチャネル上に送信するためのメッセージ（例えば、開始メッセージ５００）を発生する。メッセージは複数のビットを有するステーションクラスマークフィールドを含む。ステーションクラスマークフィールドの一部は、移動局が移動局機器識別子により固有に識別されることを示す。７０４はメッセージ５００を基地局１０４に送信する。７０６はフォワードシグナリングチャネルを介して基地局１０４からのステータスリクエストメッセージ６００を受信する。７０８においてＭＥＩＤを有したステータス応答メッセージを基地局１０４に送信する。７１０において、移動局１０２は基地局１０４からフォワードシグナリングチャネルを介してＭＥＣＡＭメッセージを受信し、７１２において、移動局１０２は他の基地局へのハンドオフ動作のために、基地局１０４からフォワードシグナリングチャネルを介して（後述する）ＭＵＨＤＭメッセージを受信してもよい。
【００２５】
図３を参照すると、一実施形態において、無線通信のための基地局１０４は移動局からリバースシグナリングチャネルを介してメッセージを受信するように構成された受信機３０４を含む。メッセージは複数のビットを有したステーションクラスマークフィールドを含む。ステーションクラスマークフィールドの一部は、移動局が移動局機器識別子により固有に識別されることを示す。一実施形態において、メッセージは図５Ａに示されるように開始メッセージ５００である。開始メッセージ５００は８ビットのような複数のビットを有するステーションクラスマーク（ＳＣＭ）フィールド５０８を含む。図５Ｂに示される実施形態において、４番目のビット５２２により表されるロジック１（「１」）は、移動局１０２が移動局識別子（ＭＥＩＤ）により固有に識別されることを示すために使用される。代わりの実施形態において、メッセージはページ応答メッセージ、登録メッセージ、ステータス応答メッセージ、または拡張ステータス応答メッセージであってもよい。
【００２６】
図３を続けると、基地局１０４は変調器３０６、図１に示されるＢＳＣ１０６のようなＢＳＣと通信するためのインターフェース３０８、送信機３００、制御プロセッサー３０２、復調器３１０、およびアンテナ３１２を含む。これらの機能は技術的に知られている。送信機３００はステータスリクエストメッセージ６００をフォワードシグナリングチャネルを介して移動局に送信するように構成される。ステータスリクエストメッセージ６００は移動局機器識別子のために移動局へのリクエストを含む。一実施形態において、移動局または基地局内の送信機および受信機は図示するように分離されていてもよい。他の実施形態において、移動局または基地局内の送信機および受信機は、一般に「トランシーバー」と呼ばれる単一コンポーネントであってもよい。
【００２７】
図８を参照して、この発明の一実施形態に従って基地局１０４により実施されてもよいプロセス８００のフロー図が示される。プロセス８００の８０２において、移動局からリバースシグナリングチャネルを介してメッセージを受信する。メッセージは複数のビットを有するステーションクラスマークフィールドを含む。ステーションクラスマークフィールドの一部は、移動局が移動局機器識別子により固有に識別されることを示す。８０４において、フォワードシグナリングチャネルを介してステータスリクエストメッセージを移動局に送信する。ステータスリクエストメッセージはＭＥＩＤのための移動局へのリクエストを含む。８０６において、移動局からステータス応答メッセージを受信する。８０８において、基地局１０４はＭＥＣＡＭメッセージをフォワードシグナリングチャネル上に送信する。８１０において、ＭＵＨＤＭメッセージをフォワードシグナリングチャネル上に送信する。
【００２８】
図９Ａを参照すると、この発明の一実施形態に従うＭＥＣＡＭメッセージが示される。ＭＥＣＡＭメッセージは基地局１０４により移動局１０２に送信されてもよい（図１参照）。ＭＥＣＡＭメッセージ９００はＣＤＭＡ２０００リリースＤ  ＥＣＡＭメッセージと同じ方法でフォーマット化される。ＭＥＣＡＭメッセージは、ＣＤＭＡ２０００リリース０に準拠する拡張チャネル割り当てメッセージフィールド９０２と、ＣＤＭＡ２０００リリースＡ、リリースＢおよびリリースＣ規格（９０４、９０６、９０８）の少なくとも１つに準拠する拡張チャネル割り当てメッセージフィールドをカバーするための固定数のリザーブされたビットと、トラヒック呼のために移動局に割り当てられたパブリックロングコードマスクを識別するパブリックロングコードマスクタイプ（ＰＬＣＭＪＴＹＰＥ）フィールドを含む。ＰＬＣＭ＿ＴＹＰＥフィールドは９１０により表される種々のＰＬＣＭ関連フィールドの１つである。図９Ａに示される実施形態において、リザーブされたビット（例えばビットゼロ）９０４−９０８はＣＤＭＡ２０００リリースＡ、Ｂ、およびＣのためのＥＣＡＭフィールドを表す。例えば、ＭＥＣＡＭメッセージは、ゼロの２ビットまたは５ビットを含むフィールド９０４を有していてもよい。フィールド９０６には情報はなく、フィールド９０８はゼロの１ビットセットを有していてもよい。さらに、ＰＬＣＭ＿ＴＹＰＥ  ＩＮＣＬがビット１なら、ＰＬＣＭ＿ＴＹＰＥフィールドが含まれる。このフィールドは、ＢＳが割り当てられた、ＭＥＩＤベースのまたはＥＶＩＳベースのＰＬＣＭのようないくつかのタイプの１つであってもよい。そのようなＰＬＣＭタイプの使用は、ＰＬＣＭｓが擬似ＥＳＮｓに基いているなら生じるかもしれないＰＬＣＭ衝突を回避する。図９Ａに示される実施形態において、［ＰＬＣＭ＿３９］フィールドは、ＰＬＣＭはＢＳが割り当てられたＰＬＣＭであることを示す。ＰＬＣＭ＿ＴＹＰＥ  ＩＮＣＬフィールドがビット０なら、次の２つの後続するＰＬＣＭ関連フィールドはメッセージには含まれない。
【００２９】
図９Ｂを参照すると、この発明の一実施形態に従うＭＵＨＤＭメッセージ９４０が示される。このメッセージは基地局１０４により移動局１０２に送信されてもよい（図１参照）。ＭＵＨＤＭメッセージはＣＤＭＡ２０００リリースＤ  ＵＨＤＭメッセージと同じ方法でフォーマットされる。ＭＵＨＤＭメッセージは、ＣＤＭＡ２０００リリース０に準拠するユニバーサルハンドオフディレクションメッセージフィールド９４２と、リリースＡ、リリースＢおよびリリースＣ規格（９４４、９４６、９４８）の少なくとも１つに準拠するユニバーサルハンドオフディレクションメッセージフィールドをカバーするための固定数のリザーブされたビットと、他の基地局とのハンドオーバー動作のために移動局に割り当てられたパブリックロンクコードマスクを識別するためのパブリックロングコードマスクタイプ（ＰＬＣＭ＿ＴＹＰＥ）フィールドとを含む。ＰＬＣＭ＿ＴＹＰＥフィールドは９５０により表される種々のＰＬＣＭ関連フィールドの１つである。図９Ｂに示される実施形態において、リザーブされたビット（例えばビットゼロ）９４４−９４８はＣＤＭＡ２０００リリースＡ、ＢおよびＣのためのＵＨＤＭフィールドを表す。例えば、ＭＵＨＤＭメッセージはフィールド９４４にゼロの２−７ビットのいずれか１つを含ませてもよい。フィールド９４６には情報は無く、フィールド９４８は６ビットを有していてもよくすべてゼロに設定される。さらにＰＬＣＭ＿ＴＹＰＥ  ＩＮＣＬがビット１なら、ＰＬＣＭ＿ＴＹＰＥフィールドが含まれる。このフィールドはＢＳが割り当てられた、ＭＥＩＤベースのまたはＩＭＳＩベースのＰＬＣＭのようないくつかのタイプの１つであってもよい。
【００３０】
そのようなＰＬＣＭタイプの使用はＰＬＣＭｓが擬似ＥＳＮｓに基いているなら生じたかもしれないＰＬＣＭ衝突を回避する。図９Ｂに示される実施形態において、ＰＬＣＭ＿３９はＰＬＣＭがＢＳが割り当てられたＰＬＣＭであることを示す。ＰＬＣＭ＿ＴＹＰＥ  ＩＮＣＬフィールドがビット０なら、次の２つの後続のＰＬＣＭ関連フィールドはメッセージには含まれない。
【００３１】
この発明の他の観点において、機械により実行されたとき、機械に無線移動局における動作を実行させる命令を備えた機械読み取り可能媒体が開示される。動作はリバースシグナリングチャネル上に送信するためのメッセージを発生することを含む。メッセージは複数のビットを有するステーションクラスマークフィールドを含む。ステーションクラスマークフィールドの一部は、移動局が移動局機器識別子により固有に識別されることを示す。
【００３２】
一実施形態において、機械読み取り可能媒体は、ＣＤ−ＲＯＭのようなディスクベースの媒体であってもよい。
【００３３】
この発明のさらに他の観点において、無線通信のための移動局が開示される。移動局は、リバースシグナリングチャネル上に送信するためのメッセージを発生する手段を含む。メッセージは複数のビットを有するステーションクラスマークフィールドを含む。ステーションクラスマークフィールドの一部は、移動局が移動局機器識別子により固有に識別されることを示す。また、移動局は、メッセージをリバースシグナリングチャネル上に送信する手段を含む。そのような発生手段は、例えば、図２に示されるように制御プロセッサーを適切に含んでいてもよく、送信手段は図２にも示される送信機を適切に含んでいてもよい。
【００３４】
さらにこの発明の他の観点において、機械により実行されると、機械に基地局内の動作を実行させる命令を備えた機械読み取り可能媒体が開示される。動作は移動局からリバースシグナリングチャネル上のメッセージを受信することを含む。メッセージは複数のビットを有するステーションクラスマークフィールドを含む。ステーションクラスマークフィールドの一部は、移動局が移動局機器識別子により固有に識別されることを示す。
【００３５】
この発明のさらに他の観点において、無線通信のための基地局が開示される。基地局は移動局からのリバースシグナリングチャネル上のメッセージを受信する手段を含む。メッセージは、複数のビットを有するステーションクラスマークフィールドを含む。ステーションクラスマークフィールドの一部は、移動局が移動局機器識別子により固有に識別されることを示す。また、基地局は、フォワードシグナリングチャネルを介してステータスリクエストメッセージを移動局に送信する手段を含む。ステータスリクエストメッセージは移動局機器識別子のための移動局へのリクエストを含む。そのような受信手段は図３に示される受信機３０４を適切に含み、送信手段は図３にも示される送信機３００を適切に含む。
【００３６】
当業者は、情報および信号は、さまざまな異なる科学技術および技法を用いて表してもよいことを理解するであろう。例えば、上述した記述全体を通して参照してもよいデータ、命令、コマンド、情報、信号、ビット、記号、およびチップは、電圧、電流、電磁波、磁界、磁性粒子、光学界、または光学粒子またはそれらの任意の組合せにより表してもよい。
【００３７】
当業者はさらに、ここに開示した実施の形態に関連して記載した種々の実例となる論理ブロック、モジュール、回路、およびアルゴリズムステップは、電子ハードウエア、コンピュータソフトウエアまたは両方の組合せで実施してもよいことを理解するであろう。このハードウエアとソフトウエアの互換性を明白に説明するために、種々の例示コンポーネント、ブロック、モジュール、回路、およびステップが一般に機能性の観点から上述された。そのような機能性がハードウエアまたはソフトウエアとして実現されるかは特定のアプリケーションおよび全体のシステムに課せられた設計制約に依存する。熟達した職人は、各特定のアプリケーションに対して記載した機能性を変形した方法で実施することができるが、そのような実施の判断は、この発明の範囲を逸脱するものとして解釈されるべきでない。
【００３８】
ここに開示された実施の形態に関連して記載された種々の実例となる論理ブロック、モジュール、および回路は、汎用プロセッサー、デジタルシグナルプロセッサ（ＤＳＰ）、特定用途向け集積回路（ＡＳＩＣ）、フィールドプログラマブルゲートアレイ（ＦＰＧＡ）または他のプログラマブル論理装置、ディスクリートゲートまたはトランジスタロジック、ディスクリートハードウエアコンポーネント、またはここに記載した機能を実行するように設計されたいずれかの組合せを用いて実施または実行してもよい。汎用プロセッサーは、マイクロプロセッサであってよいが、代替策ではプロセッサーは、任意の従来のプロセッサー、コントローラー、マイクロコントローラーまたは状態機械であってよい。プロセッサーはまた、計算装置の組合せとしても実施できる。例えば、ＤＳＰとマイクロプロセッサの組合せ、複数のマイクロプロセッサ、ＤＳＰコアと協力した１つ以上のマイクロプロセッサまたはいずれかの他のそのような構成として実施してもよい。ここに開示された実施形態に関連して説明された方法またはアルゴリズムのステップは、ハードウエア内、プロセッサーによって実行されるソフトウェアモジュール内、あるいは2つの組み合わせの中で直接的に具現化されてよい。ソフトウェアモジュールはRAMメモリ、フラッシュメモリ、ROMメモリ、EPROMメモリ、EEPROMメモリ、レジスタ、ハードディスク、取り外し可能ディスク、CD-ROM、または技術的に既知である任意の他の形式の記憶媒体に常駐してよい。例示的な記憶媒体は、プロセッサーが記憶媒体から情報を読み取り、記憶媒体に情報を書き込むことができるようにプロセッサーに結合される。代替策では、記憶媒体はプロセッサーに一体化してよい。プロセッサー及び記憶媒体はASICに常駐してよい。ASICはユーザー端末に常駐してよい。代替策では、プロセッサー及び記憶媒体はユーザー端末内に別々の構成要素として常駐してよい。
【００３９】
好適実施の形態の上述の記載は当業者がこの発明を製作または使用することを可能にするために提供される。これらの実施の形態に対する種々の変更は当業者には容易に明白であろう、そしてここに定義される包括的原理は発明力の使用なしに他の実施の形態に適用可能である。従って、この発明は、ここに示される実施形態に限定されることを意図したものではなく、ここに開示された原理および新規な特徴と一致する最も広い範囲が許容されるべきである。
【図面の簡単な説明】
【００４０】
【図１】図１は無線通信システムの例である。
【図２】図２はこの発明の一実施形態に従う無線移動局のブロック図である。
【図３】図３はこの発明の一実施形態に従う基地局のブロック図である。
【図４】図４はこの発明の一実施形態に従う無線移動局と基地局との間の呼セットアップ図である。
【図５Ａ】図５Ａはこの発明の一実施形態に従う移動局開始メッセージである。
【図５Ｂ】図５Ｂは図５Ａのステーションクラスマークフィールドである。
【図６Ａ】図６Ａはこの発明の一実施形態に従う基地局ステータスリクエストメッセージである
【図６Ｂ】図６Ｂは、この発明の一実施形態に従う移動局ステータス応答メッセージまたは拡張ステータス応答メッセージである。
【図６Ｃ】図６Ｃは図６Ｂのステータス応答メッセージまたは拡張ステータス応答メッセージに含まれてもよいＭＥＩＤ情報レコードである。
【図７】図７はこの発明の一実施形態に従って無線移動局により実施されてもよいプロセスのフロー図である。
【図８】図８はこの発明の一実施形態に従って基地局により実施されてもよいプロセスのフロー図である。
【図９Ａ】図９Ａはこの発明の一実施形態に従うＭＥＣＡＭメッセージである。
【図９Ｂ】図９Ｂはこの発明の一実施形態に従うＭＵＨＤＭメッセージである。
【図１】
2008527934.tif 000003
【図２】
2008527934.tif 000004
【図３】
2008527934.tif 000005
【図４】
2008527934.tif 000006
【図５Ａ】
2008527934.tif 000007
【図５Ｂ】
2008527934.tif 000008
【図６Ａ】
2008527934.tif 000009
【図６Ｂ】
2008527934.tif 000010
【図６Ｃ】
2008527934.tif 000011
【図７】
2008527934.tif 000012
【図８】
2008527934.tif 000013
【図９Ａ】
2008527934.tif 000014
【図９Ｂ】
2008527934.tif 000015
【国際調査報告】
2008527934.tif 000016
2008527934.tif 000017
2008527934.tif 000018